(57)【要約】      （修正有）【課題】手押吹付け可能としたノズル付き清掃用ブロアに係り、ノズルの方向を自在に転向可能とし、ブロアによる手押ポンプにより吹付け方向を自在に変更操作してより適正な吹付け方向に指向させ、これにより一層確実な清掃を可能にする清掃用ブロアを提供する。【解決手段】一端に吸気弁部を備えると共に他端に嵌合開口を有する嵌合接続部を備え、中間に弾性復元袋体をなすブロア中空膨体を有するブロア本体と、嵌合接続部の嵌合開口に嵌着され、ブロア本体の圧縮により加圧された内部圧搾空気を噴射するノズル体を有するブロアであって、ノズル体の一部に屈曲自在な蛇腹管部を具える。【選択図】図１Ａ
0003178556.tif 000002
【実用新案登録請求の範囲】
【請求項１】
一端に吸気弁部を備えると共に他端に嵌合開口を有する嵌合接続部を備え、中間に弾性復元袋体をなすブロア中空膨体を有するブロア本体と、前記嵌合接続部の嵌合開口に嵌着され、ブロア本体の圧縮により加圧された内部圧搾空気を噴射するノズル体を有するブロアであって、前記ノズル体の一部に屈曲自在な蛇腹管部を具えた清掃用ブロア。
【考案の詳細な説明】
【技術分野】
【０００１】
本考案は、手押吹付け清掃用ブロアに関し、カメラバッグ内の目の届かない暗い隅において存在するゴミ・埃、レンズ表面、周辺に付着したゴミ・埃、また電子機器やシュレッダー等の分解修理時にその電子基盤接点部に付着した埃などに吹き付けて確実に清掃することのできる屈曲自在なノズル管を具えた清掃用ブロアに関するものである。
【背景技術】
【０００２】
カメラ器具を収納するカメラバッグ内のゴミ清掃を例に取って説明する。カメラ器具を収納するカメラバッグにおいて、その内部に収容される種々のカメラ器具の出し入れにより内部に塵埃が知らず知らずのうちに蓄積されている。しかし、バック内部の暗がり隅部や狭い部分においては見逃されやすく、蓄積された塵埃を含むバック内に機器を収納した場合には、収納された機器に塵埃を付着しこれによる汚れが生じても気が付かず、ときとしてカメラレンズに付着する場合があり、その場合には、バックから取り出して使用したときに、画面映像の汚点の原因になることが考えられる。
従来、レンズ清掃用ブロアが提供されており、先端に備えたノズル体によって、レンズを清掃しながら塵、埃を吹き飛ばすものである。
そして、この先行の清掃用ブロアは、ノズル体が直線状の管となっていることが一般的であり、このため、湾曲したレンズ面の清掃に使用する場合、湾曲したレンズ面の周縁の溝に向かった吹き付けに際して、ブロア本体が邪魔して適正な方向から外れた方向に向けられるおそれがあったり、狭いスペースにおいてノズル体先端を蓄積されたゴミに向けられず、到達できないおそれがあったりするなどして、清掃対象箇所への強力な吹き付けが得られないため、付着した塵、埃を確実に吹き落すことができないおそれがあった。
【先行技術文献】
【特許文献】
【０００３】
【特許文献１】特開２００６−１０９２６１号公報
【考案の概要】
【考案が解決しようとする課題】
【０００４】
本考案の解決しようとする問題点は、上記したように例えば、カメラ器具を収納するカメラバッグ内や、カメラレンズの埃やゴミにより適正で強力な吹付けを可能とするため、清掃用ブロアのノズル体の方向を、付着した埃やゴミにより適宜指向することができ、当該ノズル体において蛇腹管部を介在させ、屈曲自在な蛇腹管部において、ノズル体の方向を自在に設定することを可能とし、これによってカメラのレンズや、カメラ器具バッグ内の埃等のゴミへの適正な方向からの接近を容易にし、これにより埃等のゴミの強力な吹き飛ばしを可能として、より確実な清掃ができるようにすることを目的とする。
【課題を解決するための手段】
【０００５】
本考案は、ブロア本体とノズル体を有するブロアであって、ノズル体に蛇腹管部を具えた清掃用ブロアを提供する。即ち、一端に吸気弁部を備えると共に他端に嵌合開口を有する嵌合接続部を備え、中間に弾性復元袋体をなすブロア中空膨体を有するブロア本体と、前記嵌合接続部の嵌合開口に嵌着され、ブロア本体の圧縮により加圧された内部圧搾空気を噴射するノズル体を有するブロアであって、前記ノズル体の一部に屈曲自在な蛇腹管部を具えた清掃用ブロアである。
【考案の効果】
【０００６】
本考案の手押吹付け可能とした清掃用ブロアは、例えば、カメラバッグ内の隅やカメラレンズの周縁に付着したゴミ類、また電子機器やシュレッダー等の分解修理時にその電子基盤接点部に付着した埃などを、ブロア本体による手押ポンプによりノズル体から加圧空気を吹付けると共に、ノズル体に形成された蛇腹管部において、吹付け方向を自在に変更し乃至は変更位置保持可能として、これにより清掃作業が作業スペースの狭い場合であっても、吹付け方向を適正化し吹付け清掃をより確実にする。
【図面の簡単な説明】
【０００７】
【図１Ａ】図１Ａは、屈曲自在な蛇腹管を具えたノズル体を装着するブロアの組立図の一例を示す。
【図１Ｂ】図１Ｂは、上記蛇腹管を具えたノズル体を装着するブロアとして、この実施例１に係る実施形態を示す図で、（ａ）はノズル体の組立部品を部品毎に分解して示す分解図であり、（ｂ）は実施例１に係る清掃用ブロアにおいて、ノズル体の蛇腹部を折り曲げた使用図である。
【図２】図２は、ノズル体について、実施例１におけるノズル基礎部材と蛇腹管部材を一体化し、ノズル体をして、この蛇腹管部材を一体化した第2ノズル基礎部材とノズル先端部材との２部材からなるものとし、２部材からなるノズル体とブロア本体と組み立てた第2の実施例であり、（ａ）はノズル体を組立ててブロア本体に装着した組立図、（ｂ）はノズル体を折り曲げて使用する場合のブロアの一使用形態を示す使用図である。
【図３】図３は、ノズル体について、実施例１におけるノズル基礎部材、蛇腹管部材及びノズル先端部材の３部材を一体化して組み立てした第3の実施例であり、（ａ）は3部材一体化したノズル体をブロア本体に装着した組立図であり、（ｂ）はノズル体を折り曲げて使用する場合の使用状態を、一部破断して示す図である。
【考案を実施するための形態】
【０００８】
本考案は、副次的に、そのノズル体に蛇腹管部を具えたカメラ清掃用ブロアにおける蛇腹管部を備えるノズル体の構造として、ノズル基礎部材と蛇腹管部材とノズル先端部材の３部材からなるノズル体としたり、任意の２部材を一体化して２部材からなるノズル体としたり、ノズル基礎部材と蛇腹管部材とノズル先端部材の３部材を一体化した一部材としたものとしても提供することができる。
【０００９】
更に詳述すれば、本考案は、一端に吸気弁部を備えると共に他端に嵌合開口を有する嵌合接続部を備え、中間に弾性復元袋体をなすブロア中空膨体を有するブロア本体と、前記嵌合接続部の嵌合開口に嵌着され、ブロア本体の圧縮により加圧された内部圧搾空気を噴射するノズル体を有するブロアであって、前記ノズル体の一部に屈曲自在な蛇腹管部を具えた清掃用ブロアにおいて、ノズル体が、第1ノズル基礎部材、蛇腹管部材及びノズル先端部材の別々の部材からなり、第1ノズル基礎部材はブロア本体の嵌合開口に嵌着自在に装着され、蛇腹管部材は第1ノズル基礎部材の嵌挿軸部に嵌着自在に装着され、ノズル先端部材は、蛇腹管部材の嵌挿軸部に嵌着自在に装着され、これにより３部材からなるノズル体とブロア本体が各組み立てられてなる蛇腹管部を具えたノズル体を有する清掃用ブロアを提供する。
【００１０】
また、本考案は、一端に吸気弁部を備えると共に他端に嵌合開口を有する嵌合接続部を備え、中間に弾性復元袋体をなすブロア中空膨体を有するブロア本体と、前記嵌合接続部の嵌合開口に嵌着され、ブロア本体の圧縮により加圧された内部圧搾空気を噴射するノズル体を有するブロアであって、前記ノズル体の一部に屈曲自在な蛇腹管部を具えた清掃用ブロアにおいて、ノズル体が、ノズル基礎部材と蛇腹管部材を一体化した第2ノズル基礎部材と、ノズル先端部材とからなり、前記第２ノズル基礎部材をブロア本体の嵌合開口に装着することにより組み立てられてなる蛇腹管部を具えたノズル体を有する清掃用ブロアを提供する。                                                                  
【００１１】
さらに、本考案は、一端に吸気弁部を備えると共に他端に嵌合開口を有する嵌合接続部を備え、中間に弾性復元袋体をなすブロア中空膨体を有するブロア本体と、前記嵌合接続部の嵌合開口に嵌着され、ブロア本体の圧縮により加圧された内部圧搾空気を噴射するノズル体を有するブロアであって、前記ノズル体の一部に屈曲自在な蛇腹管部を具えた清掃用ブロアにおいて、ノズル体が、ノズル基礎部材と蛇腹管部材及びノズル先端部材とを一体化した第３ノズル基礎部材となす一つの部材であり、当該第３ノズル基礎部材をブロア本体の嵌合開口に嵌着自在に装着することにより組み立てられてなる蛇腹管部を具えたノズル体を有する清掃用ブロアをも提供する。
これらいずれの場合においても、ノズル体は、その基部においてブロア本体の嵌合開口に着脱自在に嵌着する構造を有すると共に、部材間の接続構造も着脱自在な嵌着構造であるものとし、ノズル体に備えられる蛇腹管部においてノズル先端部材の方向を自在に変更することができる。さらに、その変更位置を保持可能としたものとすることもできる。これによって、ゴミ類付着箇所への吹付け方向を適正化し、確実な吹き落としを可能とした清掃用ブロアが提供される。
【００１２】
以上から、本考案は、ブロア本体とノズル体を有するブロアであって、ノズル体に蛇腹管部を具えた清掃用ブロアであり、蛇腹管部は自由に屈曲自在な構造を有し、屈曲されたその位置に保持することができる。したがって、ノズル体からの噴出し方向をゴミに向かって指向することが可能となり、隠れた狭い場所の隅々へと噴出させることができ、これによって、ブロアによる付着したゴミ等の取り除きを一層確実にすることができるものとなる。例えば、狭小な場所にセットされたカメラにおいて、狭い空間におけるブロア本体の扱い位置から、蛇腹管部において湾曲させ、これによりノズルの方向を任意に指向させ、これによってレンズ周縁の溝部分に対しても適切な方向に噴出させることが可能となる。
なお、屈曲されたその位置への保持は、指で把持して保持する屈曲自在な蛇腹構造を有するものであることはもちろん、周知の飲料用ストローのようにその断面形状の工夫により折り曲げ位置で保持可能な構造とすることもできる。
【実施例１】
【００１３】
図１Ａは、本考案に係る蛇腹管部２２ａを蛇腹管部材２２において具えた清掃用ブロアＢ１を示す。この清掃用ブロアＢ１の全体は概略ブロア本体１０とノズル体２０とからなり、ここでノズル体２０は、ノズル基礎部材２１、蛇腹管部材２２及びノズル先端部材２３の３部材から組立てられ、蛇腹管部材２２は蛇腹管部２２ａを備える。
図１Ｂ（ａ）は、ブロア本体１０とノズル体２０の詳細構造を示す。この図において、上記ノズル体２０は３各構成部材が軸方向に分解して示され、一方ブロア本体１０は内部に中空部１４を有する復元性の強い袋状のブロア本体１１を有し、その一端に吸気弁体１２ａを有する吸気弁部１２を具えると共に他端に上記ノズル体２０を嵌着する嵌合開口１３ａを有した嵌合接続部１３を備えている。
上記したようにノズル体２０は、ノズル基礎部材２１と、蛇腹管部材２２と、ノズル先端部材２３の別々の部材として３部材により構成される。組立てに際して、先ずノズル基礎部材２１はその嵌挿軸部２１ａをブロア本体１１の嵌合接続部１３における嵌合開口１３ａに嵌合し、ノズル基礎部材２１とブロア本体１１とを嵌脱自在に装着する。次いで、蛇腹管部材２２における嵌合部２２ｂの嵌合口２２ｃを前記ノズル基礎部材２１の嵌挿軸部２１ｃに嵌着し、蛇腹管部材２２をノズル基礎部材２１に対し嵌脱自在に装着する。最後に、このノズル先端部材２３をその嵌合口２３ｂを介して、蛇腹管部材２２の嵌挿軸部２２ｅに嵌着することにより、ノズル先端部材２３と蛇腹管部材２２を嵌脱自在に装着する。以上により、ノズル基礎部材２１、蛇腹管部材２２及びノズル先端部材２３の３部材から組立てられたノズル体２０の場合、その蛇腹管部材２２において、図１Ａに示すような、蛇腹管部２２ａを具えるものとして清掃用ブロアＢ１が組み立てられる。
【００１４】
使用に際しては、図１Ｂ（ｂ）に示すように、この組み立てられた蛇腹管部材２２に蛇腹部２２ａを具えた清掃用ブロアＢ１において、ブロア中空膨体１１を外側から握って圧縮することにより、ブロア本体１０内の圧縮空気は、ノズル基礎部材２１、蛇腹管部材２２及びノズル先端部材２３の各送風路２１ｄ，２２ｄ及び２３ｄを通じてノズル孔２３ｃから加圧空気が噴出され、噴出方向に存在するゴミ類を吹き払い清掃することが可能となる。ブロア中空膨体１１の握りを解くとブロア中空膨体１１はその弾性復元力で膨出し、その際、吸気弁部１２から吸気弁体１２ａを介して内空部１４に吸気される。吸気弁部１２に備える吸気弁体１２ａの構造については、本考案の主要部ではないので詳細説明は省略する。
上記清掃用ブロアＢ１に係る空気噴射作用については、ブロア中空膨体１１部分の握り締めによる圧縮，その開放を繰り返すことにより、ノズル体２０のノズル口２３ｃから空気噴射を与え、ゴミ類の噴射除去が行われるもので、先行のブロアと同様である。
【００１５】
本考案の清掃用ブロアＢはさらに、ノズル体２０に蛇腹管部２２ａを具え、使用に際して、その蛇腹幹部材２２の蛇腹部２２ａにおいて、任意の方向へ屈曲自在となっている。これにより、ノズル先端部材２３を指等で把持し適宜の方向に指向させてため蛇腹部２２ａを曲げて使用することができる。図１Ｂ（ｂ）に、そのノズル体を折り曲げ使用する場合のブロアの一使用形態を示す。
以上から、本考案の蛇腹管部２２ａを有する蛇腹管部材２２を備えたノズル体２０を装着する清掃用ブロアＢ１によれば、ノズル体２０からの噴出し方向をゴミに向かって適切に指向することができ、隠れた狭い場所の隅々や、湾曲したレンズ周縁の溝部分に対して、より好ましい方向からの噴出が可能となり、付着したゴミ等の取り除きを一層確実にすることができる。
【００１６】
その際、蛇腹部２２ａは、所定の曲げられた状態に保持し得る構造物として製作することでき、その場合には，その指向位置に保持することも可能である。
【実施例２】
【００１７】
図２は実施例２を示す。この実施例２においては、ノズル体２０Ａは蛇腹管部材２２Ａとノズル先端部材２３の２部材から構成される。次に上記実施例１との相違を概説する。実施例２に示す蛇腹管部材２２Ａは、実施例１におけるノズル基礎部材２１と蛇腹管部材２２を一体化し、蛇腹管部材２２Ａとしたものである。ここで、蛇腹管部材２２Ａは中空軸部及び嵌挿軸部を有する構造となっている。なおここで、ノズル基礎部材と一体化した蛇腹管部材２２Ａにおける中空軸部及び嵌挿軸部の符合は、実施例１におけるノズル基礎部材２１の中空軸部及び嵌挿軸部を意味するものとして、実施例２においてもノズル基礎部材２１の中空軸部２１ａ及び嵌挿軸部２１ｂをそのまま援用するものとし、蛇腹管部材２２Ａは、その中空軸部２１ａ及び嵌挿軸部２１ｂを備えるものとして図示してある。
実施例２は、ノズル基礎部材一体化し、折り曲げ可能な蛇腹部２２ａを有する蛇腹管部材２２Ａの嵌挿軸部２２ｅに、上記実施例１と同様のノズル先端部材２３を、その嵌合口２３ｂを介して嵌合装着し組立てられる。
この実施例２においても、蛇腹管部２２ａを具えたノズル体を有する清掃用ブロアＢ２である。そして、実施例１同様、蛇腹管部材２２Ａのノズル先端部材２３の曲げ指向により、ゴミへのより好ましい方向からの噴射による好ましい清掃が可能となる。
【実施例３】
【００１８】
図３は更に他の実施例として、ノズル体を一部破断して示す蛇腹管を有するノズルを具えた清掃用ブロアに係る実施例３をあらわす。実施例３は、蛇腹管部を有する一つの蛇腹管部材２２Ｂとしてブロア本体１０に嵌合装着するものである。実施例３において、上記実施例１との相違は、実施例１のノズル体２０を構成する３部材、ノズル基礎部材２１、蛇腹管部材２２及びノズル先端部材２３を一体化して一つの蛇腹管部材２２Ｂとして製作したものである。図３においても、前記同様の機能部材として同一符合を援用することし、中空軸部２１ａ、嵌挿軸部２１ｂ、ノズル口２３ｃとして図示される。実施例３は、一部材になる折り曲げ可能な蛇腹部２２ａを有する蛇腹管部材２２Ｂをノズル体２０Ｂとしてブロア本体１０に装着した清掃用ブロアＢ３である。
この実施例３においても、上記実施例１，２と同様の清掃が可能となる。
【００１９】
なお、上記図２及び図３において、図１において示されたブロア本体１０一端の吸気弁部１２に備えられる吸気弁体１２については図面上省略したものである。
【符号の説明】
【００２０】
１０  ブロア本体
１１  ブロア中空膨体
１２  吸気弁部
１２ａ 吸気弁体
１３  嵌合接続部
１４  内空部
２０、２０Ａ、２０Ｂ  ノズル体
２１  ノズル基礎部材
２１ａ  中空軸部
２１ｂ  嵌挿軸部
２１ｃ  嵌挿軸部
２１ｄ  送風路
２２，２２Ａ，２２Ｂ  蛇腹管部材
２２ａ  蛇腹管部
２２ｂ  嵌合部
２２ｃ  嵌合口
２２ｄ  送風路
２２ｅ  嵌挿軸部
２３  ノズル先端部材
２３ａ  ノズルキャップ
２３ｂ  嵌合口
２３ｃ  ノズル孔
２３ｄ  送風路
Ｂ，Ｂ１，Ｂ２  蛇腹管部を具えた清掃用ブロア
【図１Ａ】
0003178556.tif 000003
【図１Ｂ】
0003178556.tif 000004
【図２】
0003178556.tif 000005
【図３】
0003178556.tif 000006